(57)【要約】【課題】追記型の光ディスクのディスク管理情報が壊れても最終セッションを判別可能なディスク管理情報の取得方法を提供する。【解決手段】光ヘッドを円盤状の光ディスク上に移動してレーザビームを照射して光ディスク上の記録情報を記録又は再生する光ディスク装置５００におけるディスク管理情報を取得方法では、光ディスク１００上に複数のセッションが記録可能なディスクからディスク管理情報を読み出し、最新のディスク管理情報が読み出し不可能の場合には、それ以前に記録されたディスク管理情報を読み出し、読み出し不可能な最新のディスク管理情報の一部を以前に記録されたディスク管理情報により補間し、そして、読み出したディスク管理情報に対してエラー訂正を行なって、確実に正しい最終セッション直前のディスク管理情報を取得する。【選択図】図１
2008097819.tif 000002
【特許請求の範囲】
【請求項１】
光ヘッドを円盤状の光ディスク上に移動してレーザビームを照射し、当該光ディスク上に記録情報を記録又は再生する光ディスク情報記録／再生装置であって、当該光ディスク上に複数の記録情報所定の単位で記録可能なディスク管理情報を読み出す手段を備えており、さらに、当該ディスク管理情報読出手段は、最新のディスク管理情報が読み出し不可能の場合には、それ以前に記録されたディスク管理情報を読み出して再生する手段を備えていることを特徴とする光ディスク情報記録／再生装置。
【請求項２】
前記請求項１に記載した光ディスク情報記録／再生装置において、前記ディスク管理情報再生手段は、読み出し不可能な最新のディスク管理情報の一部を以前に記録されたディスク管理情報により補間する手段を備えていることを特徴とする光ディスク情報記録／再生装置。
【請求項３】
前記請求項１又は２に記載した光ディスク情報記録／再生装置において、前記ディスク管理情報再生手段は、さらに、読み出したディスク管理情報に対してエラー訂正を行なうための手段を備えていることを特徴とする光ディスク情報記録／再生装置。
【請求項４】
光ヘッドを円盤状の光ディスク上に移動してレーザビームを照射して当該光ディスク上に記録情報を記録又は再生する光ディスク情報記録／再生装置において、当該光ディスクのディスク管理情報を取得方法であって、当該光ディスク上に複数の記録情報所定の単位で記録可能なディスク管理情報を読み出し、最新のディスク管理情報が読み出し不可能の場合には、それ以前に記録されたディスク管理情報を読み出して再生することを特徴とするディスク管理情報の取得方法。
【請求項５】
前記請求項４に記載したディスク管理情報の取得方法において、最新のディスク管理情報が読み出し不可能の場合には、読み出し不可能な最新のディスク管理情報の一部を以前に記録されたディスク管理情報により補間することを特徴とするディスク管理情報の取得方法。
【請求項６】
前記請求項４又は５に記載したディスク管理情報の取得方法において、最新のディスク管理情報が読み出し不可能の場合には、読み出したディスク管理情報に対してエラー訂正を行なうことを特徴とするディスク管理情報の取得方法。
【発明の詳細な説明】
【技術分野】
【０００１】
本発明は、映像などを含む記録情報を、セッションと呼ばれる所定の単位で、複数組が記録可能な、所謂、マルチセッション記録型の光ディスクから、記録情報を再生する光ディスク情報記録／再生装置に関し、特に、かかる装置におけるディスク管理情報の取得方法に関する。
【背景技術】
【０００２】
複数のセッションが同一のディスク上に記録可能なマルチセッション記録型の光ディスクは、特に、大量の情報を記録可能な光ディスクにおいて広く採用されている。なお、かかるマルチセッション記録が可能な光ディスクとしては、ＣＤ−ＲやＣＤ−ＲＷ（以下、ＣＤ−Ｒ／ＷＲと記す）等の追記型のディスクが一般的であり、また、特に近年においては、画像情報等を含めて更に大量の情報が記録可能なＤＶＤ−ＲやＤＶＤ＋ＲなどのＤＶＤも広く利用されてきている。
【０００３】
このように、ＣＤ−Ｒ（ＣＲ−Ｒｅｃｏｒｄａｂｌｅ）に代表される追記型の光ディスクでは、利用者によるデータの書き込みが可能であるが、しかしながら、一度書き込んだデータの書き換えは不可能ではあるため、新たにデータの書き込みを行なう場合には、上記したセッションと呼ばれる単位で、即ち、既に書き込まれたデータを含むセッションとは異なるセッションとしてディスク上に記録される。
【０００４】
かかる追記型のディスクからその記録情報を取り出す場合、当該光ディスクをその記録／再生装置に装着するが、その際、一般に、ディスク上に記録されて利用可能な情報のデータ記録状態やその内容を確認するため、所謂、サーチと呼ばれる動作が行われる。特に、マルチセッション記録型のディスクでは、セッションと呼ばれる１組のデータ単位について、ディスク上に記録された順に従って上記のサーチが行われる。
【０００５】
また、上記の追記型の光ディスクを含め、各種の情報を大量に記録して光学的に読み取り可能な、所謂、マルチメディア情報では、読み取り等、各種の原因によるエラーを訂正するため、ＥＣＣと呼ばれるエラー訂正コードをデータに付加しており、これによりディスクからデータを正しく復調することを可能にしている。なお、かかるエラー訂正を光ディスクの記録／再生装置に利用した例としては、下記特許文献１〜３が挙げられる。
【０００６】
ところで、上述したように、複数のセッションが同一のディスク上に記録可能なマルチセッション記録型の光ディスクでは、当該光ディスクをその記録／再生装置に装着と、ディスク上に記録されて利用可能な情報のデータ記録状態やその内容を確認するためのサーチと呼ばれる動作が行われる。その際、特に、マルチセッション記録型のディスクでは、セッションと呼ばれる１組のデータ単位について、ディスク上に記録された順に従って上記のサーチが行われる。
【０００７】
特に、ＣＤ−Ｒ／ＲＷでは、リードインエリア（Ｉ）、データエリア（Ｄ）、リードアウトアリア（Ｏ）と呼ばれる３つのエリアからなる各セッションが、複数、ディスクの記録エリア上に、その内周側から順に記録されており、そのため、上記のサーチを行う際には、例えば、下記特許文献４〜６にも知られるように、上記ディスク上に記録された情報を、上記セッションを単位として、一つずつ追って行き、そして、最終セッションをサーチすると、その管理情報（特に、各セッションのリードインエリアに記録されたＴＯＣ（Ｔａｂｌｅ Ｏｆ Ｃｏｎｔｅｎｔｓ）と呼ばれるサブコード）を利用して、記録情報の読み出しや書き込みを行なうこととなる。
【０００８】
【特許文献１】特開平８−２１４１０４号公報
【特許文献２】特開平７−２９６５３１号公報
【特許文献３】特開２００１−１６８７９８号公報
【特許文献４】特開２００２−１２４０６８号公報
【特許文献５】特開２０００−２８５４６１号公報
【特許文献６】特開平６−３４９２５２号公報
【発明の開示】
【発明が解決しようとする課題】
【０００９】
このように、上述した従来技術では、上記したＣＤ−Ｒ等に代表される追記型の光ディスクでは、ディスク上の領域に記録されたディスク管理情報を読み出すことによって、装置による記録／再生動作が可能となるが、しかしながら、このディスクの管理情報を記録する領域が壊れている場合には、このディスク管理情報が読み込めず、そのため、装置による記録／再生動作に必要な最終セッションを認識できなくなり、動作不可能に陥ってしまうという問題点があった。
【００１０】
そこで、本発明は、上述して従来技術における問題点を解決するため、すなわち、ＣＤ−Ｒ等に代表される追記型のマルチセッションディスクにおいて、当該ディスクに記録されたディスク管理情報が読み取れない場合においても、ディスク上に記録された最終セッションを判別可能とすることにより、かかるディスクの記録／再生を行なう際の認識率を向上し、より確実な記録情報の記録／再生を可能にする光ディスク情報記録／再生装置を提供し、さらには、かかる装置におけるマルチセッション型光ディスクの管理情報の取得方法を提供することを目的とするものである。
【課題を解決するための手段】
【００１１】
本発明は、かかる追記型ディスクの管理情報は、先に記録されたデータの内の一部だけを書き替えて追記する（即ち、同一部分が多い）事実に着目して始めてなされたものであり、かかる事実に基づいて、最終セッションのディスク管理情報が（ＥＣＣによっても）読み取れない場合においては、同一である確率の高いデータの部分をそれ以前の読み取り可能な情報を読み込んで補間することにより、必要な最終セッションのディスク管理情報をＥＣＣ機能によって訂正可能にすることを骨子とするものである。
【００１２】
より具体的には、本発明によれば、上述の課題を解決するため、まず、光ヘッドを円盤状の光ディスク上に移動してレーザビームを照射し、当該光ディスク上に記録情報を記録又は再生する光ディスク情報記録／再生装置であって、当該光ディスク上に複数の記録情報所定の単位で記録可能なディスク管理情報を読み出す手段を備えており、さらに、当該ディスク管理情報読出手段は、最新のディスク管理情報が読み出し不可能の場合には、それ以前に記録されたディスク管理情報を読み出して再生する手段を備えている光ディスク情報記録／再生装置が提供される。
【００１３】
なお、本発明では、前記に記載した光ディスク情報記録／再生装置において、前記ディスク管理情報再生手段は、読み出し不可能な最新のディスク管理情報の一部を以前に記録されたディスク管理情報により補間する手段を備え、及び／又は、前記ディスク管理情報再生手段は、さらに、読み出したディスク管理情報に対してエラー訂正を行なうための手段を備えている。
【００１４】
また、本発明によれば、やはり上記の目的を達成するため、光ヘッドを円盤状の光ディスク上に移動してレーザビームを照射して当該光ディスク上に記録情報を記録又は再生する光ディスク情報記録／再生装置において、当該光ディスクのディスク管理情報を取得方法であって、当該光ディスク上に複数の記録情報所定の単位で記録可能なディスク管理情報を読み出し、最新のディスク管理情報が読み出し不可能の場合には、それ以前に記録されたディスク管理情報を読み出して再生するディスク管理情報の取得方法が提供される。
【００１５】
なお、本発明では、前記に記載したディスク管理情報の取得方法において、最新のディスク管理情報が読み出し不可能の場合には、読み出し不可能な最新のディスク管理情報の一部を以前に記録されたディスク管理情報により補間し、及び／又は、最新のディスク管理情報が読み出し不可能の場合には、読み出したディスク管理情報に対してエラー訂正を行なうものである。
【発明の効果】
【００１６】
本発明になる光ディスク情報記録／再生装置及びそのディスク管理情報の取得方法によれば、ディスク管理情報が記録されたブロック（領域）が破壊されて読み込めない場合においても、未記録部直前（最終セッション）の有効なディスク管理情報を正しく読み込むことが可能となり、もって、ディスクの記録／再生を行なう際の認識率を向上し、より確実な記録情報の記録／再生が可能という優れた効果を発揮する。
【発明を実施するための最良の形態】
【００１７】
以下、本発明の実施の形態について、添付の図面を用いて詳細に説明する。
まず、添付の図２は、本発明の一実施の形態になる光ディスク情報記録／再生装置（所謂、ドライブ）により情報の追記／再生が可能な光ディスク、すなわち、ＣＤ−Ｒ／ＲＷ、ＤＶＤ−Ｒ、ＤＶＤ＋Ｒ等の外観が示されている。この図にも示すように、一般に、かかるマルチセッションによる追記型の光ディスクでは、データは、円盤状のディスク１００の内周部１１０から始まりその記録エリア１２０を外周に向かって、所謂、セッションと呼ばれる所定の単位で記録される。
【００１８】
但し、上記の光ディスクのうち、特に、ＤＶＤ＋Ｒと呼ばれるディスクでは、円盤状のディスク１００の内周部１１０に、このディスクの管理情報の一部である、セッション位置情報が記録される領域（ブロック）が設けられており、その記録エリア１２０に上記セッションと呼ばれる所定の単位の情報が、複数、記録可能となっている。
【００１９】
次に、ＣＤ−Ｒ／ＲＷと呼ばれる光ディスクに記録されるマルチセッションのフォーマットは、ディスクの内周側から、ＰＭＡ領域、第１セッション、第２セッション…のように構成されており、また、その各々のセッションは、添付の図３に示すように、リードイン領域（ＬＩ）、プログラム領域（ＰＧＭ）、リードアウト領域（ＬＯ）により構成されている。そして、ディスクの管理情報であるＴＯＣ（Ｔａｂｌｅ Ｏｆ Ｃｏｎｔｅｎｔｓ）は、上記リードイン領域（ＬＩ）内の所定の位置に追記可能となっている。
【００２０】
一方、ＤＶＤ＋Ｒと呼ばれるＤＶＤディスクでは、その上に記録可能なセッションと呼ばれる所定の単位の情報として、一般に、ＴＯＣ（Ｔｎ：但し、ｎは自然数）と呼ばれるブロック（領域）が、ディスク１００の内周部１１０に設けられている（図２を参照）。そして、その記録エリア１２０に記録される複数のセッションの各々は、添付の図４に示すように、リードイン、イントロ（Ｉｎ：但し、ｎは自然数）、データゾーン（ＤＺｎ：但し、ｎは自然数）、クロージャ（Ｃｎ：但し、ｎは自然数）と呼ばれる領域（ブロック）から構成されている。
【００２１】
さらに、このＤＶＤ＋Ｒでは、上記ディスクの内周部１１０のＴＯＣブロックでは、各セッションのクローズ毎に、管理情報の一部を構成するセッション位置情報（即ち、各セッションの開始／終了アドレスが書かれている）が、１ブロックづつ、随時、追記される。すなわち、ＤＶＤ＋Ｒのマルチセッションディスクでは、ＴＯＣブロックと呼ばれるディスクの管理情報が、ディスクの所定の領域、即ち、ディスクの内周部に集められて配置されており、そして、未記録部の直前のブロックまでが有効なＴＯＣとなっている。
【００２２】
また、添付の図５には、上記ＤＶＤ＋Ｒにおける各セッションを構成するブロック（領域）のより詳細な構成内容が示されている。まず、リードイン領域には、Ｉｎｉｔｉａｌ Ｚｏｎｅ、Ｉｎｎｅｒ Ｄｉｓｃ Ｉｄｅｎｔｉｆｉｃａｔｉｏｎ Ｚｏｎｅ、Ｂｕｆｆｅｒ Ｚｏｎｅ、コントロールデータ、Ｂｕｆｆｅｒ Ｚｏｎｅが設けられている。また、イントロ領域には、Ｂｕｆｆｅｒ Ｚｏｎｅ、ＳＩＺ、コントロールデータが順次設けられており、さらに、クロージャ領域には、Ｂｕｆｆｅｒ ＺｏｎｅとＳＩＺが設けられて構成されている。すなわち、各セッション内においても、ディスクの管理情報であるコントロールデータ（ＤＣＢ：Ｄｉｓｃ Ｃｏｎｔｒｏｌ Ｂｌｏｃｋ）が書かれており、それぞれ、所属するセッション内の開始／終了アドレス（但し、リードインの場合には、セッション＃１の開始／終了アドレス）が記録されている。なお、ここでは図示しないが、最終セッション（オープン）の構成（トラックの構成）は、最終セッションのイントロのＳＩＺに書かれており、このＳＩＺを読まないと、ドライブはディスクへ記録することができない。そのため、このＳＩＺを読む為にも、上記した最終セッションの認識が必要であり、重要となっている。
【００２３】
そして、上記の図５により、かかる構成のＤＶＤ＋Ｒにおけるサーチ動作を簡単に説明すると、ディスクが装置に装着されると、まず、ヘッドをディスク内周部１１０へ移動し、上記ＴＯＣブロックをサーチする。このＴＯＣブロックのサーチにより最終セッションの位置（アドレス）を確認し、最終セッションの位置へヘッドを移動し、そのリードイン又はイントロ内のコントロールデータからＳＩＺを読む（図中の矢印を参照）。一方、上記ＴＯＣブロックが破壊されて読み取れない場合には、セッション＃１のリードインからそのコントロールデータを読み込んで、次のセッションのアドレスを確認してその位置へヘッドを移動してそのイントロのコントロールデータから更に次のセッションへ移動し、これを繰り返して最終セッションに至り、最終セッションのイントロのＳＩＺに書かれて最終セッション（オープン）の構成（トラックの構成）を読み取り、装置はその再生／記録動作が可能となる。
【００２４】
次に、本発明の一実施の形態になる情報記録／再生装置である光ディスク装置（以下、単にドライブと称する）の概略的構成とその動作を、添付図６のブロック図を参照しながら、以下に説明する。
【００２５】
この図６において、上位装置４００は、例えば、ホストコンピュータ等から構成された、所謂、光ディスク装置５００の上位装置である。この上位装置４００から発行された命令は、光ディスク装置５００を構成するインタフェース・コントローラ５０２で受け取り、マイクロプロセッサ５０４に伝えられる。このマイクロプロセッサ５０４は、高速のＩＣメモリである制御メモリ５０５を有する。また、この制御メモリ５０５には、上記マイクロプロセッサ５０４上で動作する、所謂、マイクロ・プログラム・コードが記録されている。
【００２６】
ここで、上位装置４００から発行された命令が記録要求である場合には、上記マイクロプロセッサ５０４は、上位装置５０１からインタフェース・コントローラ５０２を介して、バッファメモリ５０３へ、記録要求データを転送する操作を行う。
【００２７】
次に、上記光ディスク装置５００を構成するマイクロプロセッサ５０４は、記録回路５０６に対してエンコードを指示し、この記録回路５０６は、バッファメモリ５０３上で記録要求データエンコード処理を行う。そして、マイクロプロセッサ５０４は、記録回路５０６に対して、光ディスク媒体１００の所定の位置にエンコードを完了したデータの記録指示を行い、そこで、記録回路５０６は光ヘッド５０８を介して、上記光ディスク媒体１００の所定の位置にその記録を行う。
【００２８】
また、上位装置４００から発行された命令が再生要求である場合には、上記マイクロプロセッサ５０４は、再生回路５０７に対して、光ディスク媒体３０１の所定の位置からデータを再生する指示を行う。一方、再生回路５０７は、光ヘッド５０８を介して光ディスク媒体１００の所定の位置から再生したデータを、バッファメモリ５０３へ格納する。そして、再生したデータに誤りがある場合、再生回路５０７は誤り訂正を行う。次に、マイクロプロセッサ５０４は、バッファメモリ５０３からインタフェース・コントローラ５０２を介して上位装置４００へ、上記の再生データを転送する操作を行う。なお、以上の動作は、一般のドライブの動作と同様である。また、上記光ヘッドの光ディスク上での移動は、上記マイクロプロセッサ５０４により、例えば、図示しないサーボ回路や送り機構部等を介して行なわれることも、やなり、一般のドライブの動作と同様である。
【００２９】
次に、本発明の一実施の形態になる光ディスク装置（ドライブ）における、特に、上記マルチセッション型の光ディスクにおけるディスク管理情報の取得方法について、添付図１のフローチャートを参照しながら、以下に詳細に説明する。
【００３０】
以下の説明においては、ディスク上に記録されたディスクの管理情報は、記号Ｍで表す。なお、このディスク管理情報であるＭとは、例えば、上記追記型のＣＤ−Ｒ／ＲＷでは、記録された各セッションのリードイン領域（ＬＩ）内の所定の位置に追記されたＴＯＣ情報であり、他方、上記ＤＶＤ＋Ｒにおいては、上記ディスクの内周部１１０のＴＯＣブロック内のＴＯＣ情報、又は、各セッションのリードイン領域又はイントロ領域に追記されたコントロールデータＤＣＢが対応するものである。
【００３１】
図１に示すディスク管理情報読出し処理のフローチャートにおいて、まず、ディスク管理情報領域の未記録サーチを行い（ステップＳ１１）、続いて、これにより、未記録部直前（即ち、最終セッション）の有効なディスク管理情報（ブロック）を読み込む（ステップＳ１２）。なお、特に、ＤＶＤのデータはスクランブルがかかっているため、ここでは、デスクランブル処理を行なっている（ステップＳ１３）。
【００３２】
その後、この最新の有効なディスク管理情報の読み込みがＯＫであったか否かを判定する（ステップＳ１４）。その結果、この有効なディスク管理情報の読み込みが可能（図の「Ｙ（ｅｓ）」）の場合には、ディスク管理情報読出し処理を正常に終了する。
【００３３】
一方、例えば、リードイン領域又はディスク内周部のＴＯＣブロックが破損され、そのため、ＥＣＣによっても訂正が不能（ＥＣＣ訂正不能：図の「Ｎ（ｏ）」）の場合には、１つ手前のブロックを読み込む（ステップＳ１５）。なお、ここでも、上記と同様の理由から、この読み込んだブロックのデータにもデスクランブル処理を行なう（ステップＳ１６）。
【００３４】
その後、再び、この１つ手前のブロックの有効なディスク管理情報の読み込みがＯＫであったか否かを判定する（ステップＳ１７）。その結果、この１つ手前のブロックのディスク管理情報の読み込みもＥＣＣ訂正不能（図の「Ｎ（ｏ）」）の場合には、上記ステップＳ１５へ移動し、これにより、更にもう１つ手前のブロックを読む。但し、このようにしても、一番先頭のブロックが読めなかった場合には、異常終了とする。
【００３５】
次に、上記ステップＳ１７において「Ｙ」と、すなわち、上記未記録部直前（最終セッション）の新しいディスク管理情報は読めなかったが、しかし、それ以前の（古い）ディスク管理情報が読めた場合には、上記ステップＳ１２で読めなかった有効な管理情報（Ａ）に、上記ステップＳ１６で読めた古い管理情報（Ｂ）の同一データ部分をコピーして補間を行なう（ステップＳ１８）。なお、この時、新しいディスク管理情報（Ａ）と、古い管理情報（Ｂ）との間のデータの同一性は、規格によれば、同一であるはずの部分であるか否かにより判定することが可能である。その後、この補間を行なったデータに対し、再度、スクランブルをかけ（ステップＳ１９）、さらに、ＥＣＣ訂正を行う（ステップＳ２０）。
【００３６】
その後、このスクランブルされたデータをデスクランブルし（ステップＳ２１）、さらに、訂正がＯＫであるか否かを判定する（ステップＳ２２）。これにより、ステップＳ２２において、ＥＣＣ訂正が成功と判断されれば（図の「Ｙ」）、デスクランブルしたデータを有効な管理情報として利用できるが、他方、ＥＣＣ訂正不能（図の「Ｎ」）と判断された場合には、ディスクの管理情報が読めなかったとして、異常終了となる。
【００３７】
なお、以上に述べたディスク管理情報の取得は、上記図６に示した構成において、そのマイクロプロセッサ５０４により、制御メモリ５０５内に記録されたマイクロ・プログラム・コードの内容に従って行なわれるものである。
【００３８】
また、以下には、上記に説明した本発明におけるディスク管理情報の取得方法の原理について、さらに詳細に説明する。
【００３９】
すなわち、添付の図７に示すように、追記型のディスクでは、一旦記録したデータの書き換えは出来ないため、頻繁にデータの更新が行われる。特に、そのディスクの管理情報は、データの更新（追記）が行われる度に、新しいデータブロックとして追記され、そのため、ディスク管理情報領域の終端のブロック（未記録部の直前）が唯一有効な管理情報となる（この図７の場合、Ｍ４）。なお、図の下方には、各ブロックＭ１〜Ｍ４に記録されたディスク管理情報の内容の一例が示されており、これからも分かるように、各データの更新（追記）は、その１つ手前のブロックに書かれた更新データに加えて、さらに、新たな更新データを書き込むことにより行なわれる。（例えば、Ｍ２の更新では、Ｍ１の「ヘッダデータ」と「更新データ１」に、「更新データ２」を加えて記録する。）
そこで、上記のようなディスク管理情報を読み出す際には、まず管理情報領域の未記録サーチを行い、未記録部の直前のブロックをリードする（図７の場合には、Ｍ４）。
【００４０】
しかしながら、この時、添付の図８に示すように、未記録ブロックの直前のブロック（Ｍ４）がＥＣＣ訂正不能により読み出せなかった場合には、本発明によれば、その１つ手前のブロック（Ｍ３）を読む。この管理情報は、上述したように、１回更新する毎の更新データの位置及び量は、規格により明確である（但し、更新するデータの内容は不定）。そのため、更新しない部分のデータ（図８では、Ｍ４の「ヘッダデータ」、「更新データ１」、「更新データ２」、「更新データ３」）については、有効なブロック（破壊されていない本来のブロックＭ４）でも、１つ手前のブロック（Ｍ３）でも同じである筈である。
【００４１】
そこで、本発明によれば、規格上は更新しない部分のデータは、１つ手前のブロックのデータをコピーすることで補間する。すなわち、図の右側に示すように、この補間により、破壊されたの大部分（Ｍ４の「ヘッダデータ」〜「更新データ３」）が再生される。そして、この補間した状態で、再度、ＥＣＣ訂正を行い、その結果、訂正が出来た場合には、その訂正により得られたデータを有効な管理情報として利用する。すなわち、通常、ＣＤ−Ｒ／ＲＷ、ＤＶＤ−Ｒ、ＤＶＤ＋Ｒ等を含む追記型のディスクにおいて採用されているＥＣＣの能力は、破壊されたデータ量がブロック全体のデータ量に対して少ない場合には、十分に期待できる。そのため、通常、更新するディスク管理情報のデータ量は、上述したように、そのブロック全体のデータ量に対して少ないため（即ち、図８の場合、「更新データ４」の一部）、更新しない部分（「ヘッダデータ」〜「更新データ３」）のデータが正しければ、更新した個所のデータ（「更新データ４」）は、たとえ壊れていてもＥＣＣで十分訂正可能である。なお、ＥＣＣの訂正コードは、有効なブロックのものを利用するため、誤って古いブロックのデータに訂正してしまうことはない。
【００４２】
なお、以上のようにして再生されたディスク管理情報を利用することによれば、かかるディスクから情報を記録／再生する情報記録／再生装置である光ディスク装置は、必要なディスク管理情報が記録されたブロック（領域）が破壊されて読み込めない場合においても、未記録部直前（即ち、最終セッション）の有効なディスク管理情報（ブロック）を正しく読み込むことが可能となり、その結果、最終セッションのイントロのＳＩＺを読み込むことが可能となり、もって、ディスクの記録／再生を行なう際の認識率を向上し、より確実な記録情報の記録／再生が可能となる。
【図面の簡単な説明】
【００４３】
【図１】本発明になる本発明の一実施の形態になる光ディスク情報記録／再生装置におけるディスク管理情報の取得方法を示すフローチャート図である。
【図２】上記光ディスク情報記録／再生装置により情報の追記／再生が可能なマルチセッション記録型のディスクを示す斜視図である。
【図３】上記マルチセッション記録型のディスクの一種であるＣＤ−Ｒ／ＲＷと呼ばれるマルチセッションのフォーマット構成の一例を示す図である。
【図４】上記マルチセッション記録型のディスクの一種であるＤＶＤ＋Ｒと呼ばれるマルチセッションのフォーマット構成の一例を示す図である。
【図５】上記ＤＶＤ＋Ｒと呼ばれるマルチセッション記録型のＤＶＤディスク上のブロック配置を説明する図である。
【図６】本発明の一実施の形態である光ディスク情報記録／再生装置の概略構成を示すブロック図である。
【図７】上記本発明の光ディスク情報記録／再生装置におけるディスク管理情報の取得方法を説明する説明図である。
【図８】やはり、上記本発明の光ディスク情報記録／再生装置におけるディスク管理情報の取得方法を説明する説明図である。
【符号の説明】
【００４４】
１００  光ディスク（ＤＶＤ＋Ｒ）
１１０  内周部
１２０  記録エリア
５００  光ディスク装置
５０４  マイクロプロセッサ
５０５  制御メモリ
５０８  光ヘッド。
【図１】
2008097819.tif 000003
【図２】
2008097819.tif 000004
【図３】
2008097819.tif 000005
【図４】
2008097819.tif 000006
【図５】
2008097819.tif 000007
【図６】
2008097819.tif 000008
【図７】
2008097819.tif 000009
【図８】
2008097819.tif 000010
【手続補正書】
【提出日】平成19年12月3日(2007.12.3)
【手続補正１】
【補正対象書類名】特許請求の範囲
【補正対象項目名】全文
【補正方法】変更
【補正の内容】
【特許請求の範囲】
【請求項１】
光ヘッドを円盤状の光ディスク上に移動してレーザビームを照射し、当該光ディスク上に記録情報を記録又は再生する光ディスク情報記録／再生装置であって、当該光ディスク上に所定の単位で記録可能な複数のディスク管理情報を読み出すディスク管理情報読出手段を備えており、当該ディスク管理情報読出手段は、最新のディスク管理情報が読み出し不可能の場合には、それ以前に記録されたディスク管理情報を読み出し、読み出し不可能の最新のディスク管理情報のうち更新しない部分のディスク管理情報を補間し、補間した状態で訂正を行い読み出し不可能の最新のディスク管理情報のうち更新した部分のディスク管理情報を得る手段を備え、訂正により得られたディスク管理情報を有効な管理情報とすることを特徴とする光ディスク情報記録／再生装置。
【請求項２】
光ヘッドを円盤状の光ディスク上に移動してレーザビームを照射して当該光ディスク上に記録情報を記録又は再生する光ディスク情報記録／再生装置において、当該光ディスクのディスク管理情報を取得方法であって、当該光ディスク上に所定の単位で記録可能な複数のディスク管理情報を読み出し、最新のディスク管理情報が読み出し不可能の場合には、それ以前に記録されたディスク管理情報を読み出し、読み出し不可能の最新のディスク管理情報のうち更新しない部分のディスク管理情報を補間し、補間した状態で訂正を行い読み出し不可能の最新のディスク管理情報のうち更新した部分のディスク管理情報を得、訂正により得られたディスク管理情報を有効な管理情報とすることを特徴とするディスク管理情報の取得方法。
【請求項３】
光ヘッドを円盤状の光ディスク上に移動してレーザビームを照射し、当該光ディスク上に記録情報を記録又は再生する光ディスク情報記録／再生装置であって、当該光ディスク上に複数の記録情報所定の単位で記録可能なディスク管理情報を読み出す手段を備えており、さらに、当該ディスク管理情報読出手段は、最新のディスク管理情報が読み出し不可能の場合には、それ以前に記録されたディスク管理情報を読み出して再生する手段を備えていることを特徴とする光ディスク情報記録／再生装置。